(57)【要約】【課題】五徳が天板の開口縁部の周囲にガタツキが少なく安定的に載置されるようにする。【解決手段】ガスバーナ４の上方に配設されてガスバーナ４の炎を天板３の開口の上方外へ案内するガイド部材８をガスバーナ４に支持部材７を介して取付け、五徳１１の五徳枠１１ｂの裏面に形成した突条環部１１ｃをガイド部材８の先端部８ｂに係合させて、五徳１１を天板３の開口縁部３ｂに載置することにより、五徳１１が天板３の開口縁部３ｂの周囲にガタツキが少なく安定的に載置される。【選択図】　　　図２
2004125257.tif 000002
【特許請求の範囲】
【請求項１】
コンロ本体と、該コンロ本体に設置されるガスバーナと、前記コンロ本体の上面を覆うと共に前記ガスバーナの臨む開口を有する天板と、前記開口の開口縁部周囲に載置される五徳を備えたガスコンロにおいて、
前記ガスバーナに取付けられ、前記ガスバーナの上方に配設されて該ガスバーナの炎を前記開口の上方外へ案内するガイド部材を有し、
前記五徳に前記ガイド部材と係合する位置決め部を設けた、
ことを特徴とするガスコンロ。
【請求項２】
前記五徳は、複数本の五徳爪と該五徳爪を連結する環状の五徳枠とで構成され、
前記五徳枠の裏面に前記位置決め部を設けた、
ことを特徴とする請求項１記載のガスコンロ。
【請求項３】
前記位置決め部が前記ガイド部材の上端外部に係合することによって前記五徳が位置決めされる、
ことを特徴とする請求項１又は２記載のガスコンロ。
【請求項４】
前記五徳の環状の五徳枠は、前記ガイド部材の上端を覆う庇部を備えた、
ことを特徴とする請求項２又は３記載のガスコンロ。
【発明の詳細な説明】
【０００１】
【発明の属する技術分野】
本発明は、調理用のガスコンロに関する。
【０００２】
【従来の技術】
内炎式のガスバーナを備えた従来のガスコンロでは、天板のガスバーナの臨む開口縁部に煮こぼれカバーリングを設け、ガスバーナの炎を天板の開口の上方外側へ案内するガイド部材を備えている（例えば、特許文献１参照。）。
【０００３】
図３は、上記した煮こぼれカバーリングとガイド部材を有する従来のガスコンロの一例を示す概略断面図である。このガスコンロは、コンロ本体２００がカウンタートップ３００の開口３０１に吊時されると共に、天板１００がコンロ本体２００の上面開口を覆ってカウンタートップ３００に設置される。また、天板１００に形成した円形状の開口１００ａの下方に、複数の炎孔を中心側に向けた環状の内炎式のガスバーナ１０１がコンロ本体２００に取付けられている。
【０００４】
天板１００の開口縁部１００ｂの周囲に煮こぼれカバーリング１０２を設置し、煮こぼれカバーリング１０２の外側に、枠体１０３ａに複数の爪１０３ｂを固着してなる五徳１０３を載置している。煮こぼれカバーリング１０２は、天板１００の開口縁部１００ｂに設けた保護リング１０４の外周面に係止されている。このように、五徳１０３は、煮こぼれカバーリング１０２によって位置決めされる。
【０００５】
なお、図３において、１０５はガスバーナ１０１の炎を開口１００ａの上方外へ案内するガイド部材、１０６はガスバーナ１０１の失火を検出するサーモカップル、１０７は点火電極、１０８は煮こぼれ受皿である。
【０００６】
【特許文献１】
特開平１１−２１１０８９号公報（段落番号［００１１］、図２）
【０００７】
【発明が解決しようとする課題】
ところで、上記した従来のガスコンロでは、組立性や製造バラツキなどを考慮して煮こぼれカバーリング１０２と保護リング１０４との間には所定の隙間を有しており、更に、五徳１０３も煮こぼれカバーリング１０２の外周面に対して所定の隙間を設けて載置されている。
【０００８】
このため、これらの部材間でガタが生じ、更には、天板１００の開口縁部１００ｂに対して煮こぼれカバーリング１０２と五徳１０３がそれぞれ略同方向にズレて片寄っている場合は、五徳１０３とガスバーナ１０１との相対位置に大きなズレ（数ｍｍ程度）が生じる等の不具合があった。
【０００９】
なお、上記した従来の技術におけるガスコンロの構成は一般的に用いられており、記載すべき先行技術文献（文献公知発明）はありません。
【００１０】
【課題を解決するための手段】
上記課題を解決するために本発明は、コンロ本体と、該コンロ本体に設置されるガスバーナと、前記コンロ本体の上面を覆うと共に前記ガスバーナの臨む開口を有する天板と、前記開口の開口縁部周囲に載置される五徳を備えたガスコンロにおいて、前記ガスバーナに取付けられ、前記ガスバーナの上方に配設されて該ガスバーナの炎を前記開口の上方外へ案内するガイド部材を有し、前記五徳に前記ガイド部材と係合する位置決め部を設けたことを特徴としている。
【００１１】
また、前記五徳は、複数本の五徳爪と該五徳爪を連結する環状の五徳枠とで構成され、前記五徳枠の裏面に前記位置決め部を設けたことを特徴としている。
【００１２】
また、前記位置決め部が前記ガイド部材の上端外部に係合することによって前記五徳が位置決めされることを特徴としている。
【００１３】
また、前記五徳の環状の五徳枠は、前記ガイド部材の上端を覆う庇部を備えたことを特徴としている。
【００１４】
【発明の実施の形態】
以下、本発明を図示の実施の形態に基づいて説明する。図１は、本発明の実施の形態に係るガスコンロを示す概略斜視図、図２は、本発明の実施の形態に係るガスコンロの要部を示す概略断面図である。なお、本実施の形態では、システムキッチン等のワークトップに設けた開口に吊持して設置されるドロップインコンロに本発明を適用した例である。
【００１５】
これらの図に示すように、本実施の形態に係るガスコンロ（ドロップインコンロ）１のコンロ本体２は、カウンタートップＫの開口周縁にフランジ部２１により吊時され、その上面開口は天板３により覆われている。天板３は、アルミニウム等の金属枠３１とセラミックガラス板３２からなり、セラミックガラス板３２には本実施の形態では２カ所に後述するガスバーナ４が臨む円形状の開口３ａが形成されている。
【００１６】
天板３の各開口３ａの下方には、複数の炎孔４ａを中心側に向けた環状の内炎式のガスバーナ４がコンロ本体２に支持部材２２を介して設置されており、ガスバーナ４の内側の下方には煮こぼれ受皿５が設置されている。また、天板３の上面には、ガスバーナ４の点火つまみ６が設けられている。
【００１７】
コンロ本体２内に設置されたガスバーナ４の上方には、基部８ｃがガスバーナ４に取付けられた支持部材７にビス止めされた円筒状のガイド部材８と、ガスバーナ４の失火を検出するサーモカップル９が設置されている。ガイド部材８は、ガスバーナ４の炎孔４ａから出る炎の方向に対応して傾斜し、炎を中心方向へ導く内側に向かって上方に傾斜するガイド部８ａを備えている。そして、ガイド部８ａの上方の開口３ａ近傍では鉛直上方を向き、そして先端部８ｂは天板３の開口縁部３ｂ側に曲げられて拡大部を形成して、炎を開口３ａの上方外に導いている。
【００１８】
また、ガイド部材８の基部８ｃとガスバーナ４との間に流路Ｔが形成されることにより、燃焼用空気が矢印方向に流れ、ガスバーナ４の炎がすぐ立ち上がることなく内方に向かうようにより効果的に導くことができる。
【００１９】
ガイド部材８の先端部８ｂは開口部３ａと略同一平面上に位置しており、ガイド部材８の先端部８ｂと天板３の開口縁部３ｂ間には数ｍｍ程度の隙間Ｇが設けられている。なお、ガイド部材８は、その基部８ｃで支持部材７にビス止めされているが、この支持部材７はガスバーナ４に取付けられているので、ガスバーナ４とガイド部材８とは、支持部材７を介して一体化され、両者の相関位置が保たれている。また、天板３の開口縁部３ｂには、この開口縁部３ｂを保護する保護部材１０が固着されている。
【００２０】
天板３の開口縁部３ｂ周囲に載置される五徳１１は、６本の五徳爪１１ａとこの五徳爪１１ａを連結する五徳枠１１ｂとで構成されている。五徳枠１１ｂの裏面には位置決め部としての突条環部１１ｃが形成されており、突条環部１１ｃは五徳１１が天板３のセラミックガラス板３２上面に着座されたときに前記隙間Ｇに入り込み、突条環部１１ｃの外周１１ｄがガイド部材８の先端部８ｂに１ｍｍ程度の僅かな間隙を存して対峙する。
【００２１】
これにより五徳１１はガイド部材８の先端部８ｂに位置決めされ、結果的に五徳１１はガスバーナ４と良好な相対関係を保つことができる。また、本実施の形態のようなドロップインタイプのガスコンロで天板３がカウンタートップＫに載置されるものの様に、天板３とコンロ本体２との間にズレが生じても、五徳１１とガスバーナ４とは良好な相対関係を保つことができるので、従来のようにズレた五徳１１にガスバーナ４の炎が触れることはない。
【００２２】
また、五徳１１の五徳枠１１ｂは突条環部１１ｃの基部から全周内方に突出するようにして庇部１１ｅを備え、庇部１１ｅでガイド部材８の先端部８ｂを覆う。五徳枠１１ｂは、その外周縁が開口縁部３ｂの外に位置し、その内周縁、即ち庇部１１ｅが先端部８ｂを覆うことによって、調理時に生じた煮汁が五徳枠１１ｂに落下しても隙間Ｇに落下することはない。
【００２３】
また、本実施の形態では、庇部１１ｅがガイド部材８の先端部８ｂを覆うと共に、可及的に内方に突出しないで炎が当たらないようにするために、ガイド部材８の先端部８ｂは外方に曲げられて拡大しており、その拡大部の上方に庇部１１ｅの先端が位置するようにしている。
【００２４】
このように、五徳１１が天板３の開口縁部３ｂ周囲に載置されて位置決めされることによって、五徳１１のガタツキは少なく安定する。また、五徳１１とガスバーナ４との位置関係も良好に保持される。
【００２５】
また、上記した五徳１１を天板３の開口縁部３ｂ周囲に載置した際に、五徳枠１１ｂの下面に設けた脚部１２が天板３上面に着座することによって、五徳枠１１ｂの下面と天板３の上面との間に隙間が在し、この隙間で空気が流れる流路が形成される。これによって、この流路を通して空気を五徳１１の周囲からコンロ本体２内のガスバーナ４周囲に供給することができる。
【００２６】
また、上記した実施の形態では、金属枠とセラミックガラス板からなる天板３を有するガスコンロであったが、アルミニウムやステンレス等の金属製の天板を有するガスコンロでも同様に本発明を適用することができる。
【００２７】
また、上記した実施の形態では、五徳１１を爪と裏面に突条環部（位置決め部）を有する五徳枠を一体的に鋳造品としたが、環状の板金五徳枠に五徳爪を植立し、五徳枠裏面に位置決め部を溶接等で取付ける構成とすることもできる。
【００２８】
【発明の効果】
以上説明したように本発明によれば、五徳が天板の開口縁部周囲にガタツキが少なく安定的に載置され、また、五徳とガスバーナとの位置関係も良好に確保される。
【図面の簡単な説明】
【図１】本発明の実施の形態に係るガスコンロを示す概略斜視図。
【図２】本発明の実施の形態に係るガスコンロを示す概略断面図。
【図３】従来例におけるガスコンロを示す概略断面図。
【符号の説明】
１　　　ガスコンロ
２　　　コンロ本体
３　　　天板
３ａ　　開口
３ｂ　　開口縁部
４　　　ガスバーナ
５　　　煮こぼれ受皿
８　　　ガイド部材
８ｂ　　先端部
１１　　五徳
１１ａ　五徳爪
１１ｂ　五徳枠
１１ｃ　突条環部
１１ｅ　庇部
【図１】
2004125257.tif 000003
【図２】
2004125257.tif 000004
【図３】
2004125257.tif 000005